(57)【要約】【課題】  ロッカージョイントの強度を向上させつつ、リンクプレートのピン孔およびロッカージョイントの摩耗を低減させる。【解決手段】  ロッカージョイント式のサイレントチェーンにおいて、ロッカージョイントＲＪを、互いに転動する転動面を有しかつ各々ガイドプレートＧを挿通する長さを有するロッカーピンＲＰおよびジョイントピンＪＰから構成する。ロッカーピンＲＰおよびジョイントピンＪＰを受け入れるための貫通されたピン孔をガイドプレートＧに形成する。ロッカージョイントＲＪのうちリンク列ＬＲのリンクプレートＬのリンク肩部側に配置されるロッカーピンＲＰをリンク列ＬＲの最外側リンクプレートＬのピン孔に固着し、ロッカージョイントＲＪのうちガイド列ＧＲのリンクプレートＬのリンク肩部側に配置されるジョイントピンＪＰをガイド列ＧＲの最外側リンクプレートＬのピン孔に固着する。【選択図】  図１
2007100881.tif 000002
【特許請求の範囲】
【請求項１】
一対の歯部およびピン孔を有する多数のリンクプレートを厚み方向および長手方向に積層して、ピン孔内に挿入したロッカージョイントで各リンクプレートを各々枢支可能に連結するとともに、最外側にガイドプレートを配置してなるロッカージョイント式のサイレントチェーンにおいて、
ロッカージョイントが、互いに転動する転動面を有しかつ各々ガイドプレートを挿通する長さを有するロッカーピンおよびジョイントピンから構成されており、ガイドプレートがロッカーピンおよびジョイントピンを受け入れるための貫通されたピン孔を有しており、ロッカージョイントのうちガイド列のリンクプレートのリンク肩部側に配置されるジョイントピンがガイドプレートのピン孔に固着されるとともに、ロッカージョイントのうちリンク列のリンクプレートのリンク肩部側に配置されるロッカーピンが、リンク列の最外側リンクプレートのピン孔に固着されている、
ことを特徴とするサイレントチェーン。
【請求項２】
請求項１において、
ジョイントピンが、ガイド列の最外側リンクプレートのピン孔に固着されている、
ことを特徴とするサイレントチェーン。
【請求項３】
請求項１において、
ジョイントピンがガイド列の残りのリンクプレートのピン孔に固着されている、
ことを特徴とするサイレントチェーン。
【請求項４】
請求項１において、
ロッカーピンがリンク列の残りのリンクプレートのピン孔に固着されている、
ことを特徴とするサイレントチェーン。
【請求項５】
請求項１ないし４のいずれかにおいて、
前記固着が、溶接、ろう付け、または接着により行われている、
ことを特徴とするサイレントチェーン。
【請求項６】
一対の歯部およびピン孔を有する多数のリンクプレートを厚み方向および長手方向に積層して、ピン孔内に挿入したロッカージョイントで各リンクプレートを各々枢支可能に連結してなるロッカージョイント式のサイレントチェーンにおいて、
ロッカージョイントが、互いに転動する転動面を有しかつチェーン最外側のリンクプレートをそれぞれ挿通する長さを有するロッカーピンおよびジョイントピンから構成されており、ロッカージョイントのうちチェーン最外側のリンクプレートのリンク肩部側に配置されるロッカーピンが、チェーン最外側のリンクプレートのピン孔に固着されるとともに、ロッカージョイントのうちチェーン最外側のリンクプレートの内側に配置されるリンクプレートのリンク肩部側に配置されるジョイントピンが、チェーン最外側のリンクプレートの内側に配置されるリンクプレートのピン孔に固着されている、
ことを特徴とするサイレントチェーン。
【請求項７】
請求項６において、
チェーン最外側のリンクプレートの内側に配置されたガイドプレートをさらに備えた、
ことを特徴とするサイレントチェーン。
【請求項８】
請求項６において、
ロッカーピンが、チェーン最外側のリンクプレートと同じ長手方向位置に配置された残りのリンクプレートのピン孔に固着されている、
ことを特徴とするサイレントチェーン。
【請求項９】
請求項６において、
ジョイントピンが、チェーン最外側のリンクプレートの内側に配置されるリンクプレートと同じ長手方向位置に配置された残りのリンクプレートのピン孔に固着されている、
ことを特徴とするサイレントチェーン。
【請求項１０】
請求項６、８および９のいずれかにおいて、
前記固着が、溶接、ろう付け、または接着により行われている、
ことを特徴とするサイレントチェーン。
【発明の詳細な説明】
【技術分野】
【０００１】
本発明は、ロッカージョイント式のサイレントチェーンに関し、より詳細には、ロッカージョイントの強度を向上させるとともに、リンクプレートのピン孔およびロッカージョイントの摩耗を低減させるための構造の改良に関する。
【背景技術】
【０００２】
図３に示すようなロッカージョイント式のサイレントチェーンが従来より用いられている。このサイレントチェーンＳ’は、多数のリンクプレートＬ’を厚み方向および長手方向に積層するとともに、各リンクプレートＬ’を長短一対のロッカージョイントＲＪ’で各々枢支可能に連結することにより構成されている。また、サイレントチェーンＳ’の最外側には、ガイドプレートＧ’が設けられている。ロッカージョイントＲＪ’は、ガイドプレートＧ’を挿通して延びる長いジョイントピンＪＰ’と、ガイドプレートＧ’の内側面まで延びる短いロッカーピンＲＰ’とから構成されており、ジョイントピンＪＰ’の端部は、かしめられて、ガイドプレートＧ’のピン孔内に圧入されている。ジョイントピンＪＰ’およびロッカーピンＲＰ’がそれぞれ対向する側には、互いに転動する円弧状の転動面が形成されている。
【０００３】
このような構成のサイレントチェーンに引張荷重Ｆ’が作用したとき、ガイドプレートＧ’の内側では、ジョイントピンＪＰ’およびロッカーピンＲＰ’の双方で引張荷重Ｆを受けるが、ガイドプレートＧ’と最外側リンクプレートＬ’の境界部分では、ジョイントピンＪＰ’の先端部分でのみ引張荷重Ｆ’を受けることになるため、ジョイントピンＪＰ’が曲げ変形を起こしたり、ジョイントピンＪＰ’の先端部分が折損したりする場合があった（図３中の破断面参照）。
【０００４】
そこで、特公平１−５５８２１号公報に示すように、ガイドプレートの内側に、リンクプレートと同一形状の補助プレートをガイドプレートと重ねて配置し、補助プレートのピン孔にジョイントピンおよびロッカーピンの双方を挿入したものが提案されている。
【０００５】
この場合には、補助プレートと最外側リンクプレートの境界部分においても、ジョイントピンおよびロッカーピンの双方で引張荷重を受けることになるため、ジョイントピンの曲げ変形や先端部分の折損を防止できる。しかしながら、この場合には、補助プレートの板厚の分だけ、サイレントチェーンの全幅が増加するという欠点がある。
【０００６】
そこで、実開平７−１０５８６号公報に示すように、ロッカーピンの長さを長くするとともに、ロッカーピンの端部を受け入れる盲穴をガイドプレートに形成したものが提案されている。
【０００７】
この場合には、サイレントチェーンに引張荷重が作用したとき、ガイドプレートと最外側リンクプレートの境界部分においても、ジョイントピンおよびロッカーピンの双方で引張荷重を受けることができ、しかも、この場合には、余分な補助プレートを設ける必要がないので、サイレントチェーンの全幅が増加することもない。
【０００８】
しかしながら、従来のロッカージョイント式サイレントチェーンにおいては、ジョイントピンおよびロッカーピンがピン孔内で或る程度動き得るように構成されているため、サイレントチェーンの屈曲運動時に、ジョイントピンおよびロッカーピンがピン孔の内壁面上を摺動し、その結果、各ピンおよびピン孔が摩耗するという問題がある。
【特許文献１】特公平１−５５８２１号公報（第２図参照）
【特許文献２】実開平７−１０５８６号公報（図１参照）
【発明の開示】
【発明が解決しようとする課題】
【０００９】
本発明が解決しようとする課題は、ロッカージョイント式のサイレントチェーンにおいて、ロッカージョイントの強度を向上させつつ、リンクプレートのピン孔およびロッカージョイントの摩耗を低減させる点にある。
【課題を解決するための手段】
【００１０】
請求項１の発明に係るサイレントチェーンは、一対の歯部およびピン孔を有する多数のリンクプレートを厚み方向および長手方向に積層して、ピン孔内に挿入したロッカージョイントで各リンクプレートを各々枢支可能に連結するとともに、最外側にガイドプレートを配置してなるロッカージョイント式のサイレントチェーンである。ロッカージョイントは、互いに転動する転動面を有しかつ各々ガイドプレートを挿通する長さを有するロッカーピンおよびジョイントピンから構成されている。ガイドプレートは、ロッカーピンおよびジョイントピンを受け入れるための貫通されたピン孔を有している。ロッカージョイントのうちガイド列のリンクプレートのリンク肩部側に配置されるジョイントピンは、ガイドプレートのピン孔に固着されている。ロッカージョイントのうちリンク列のリンクプレートのリンク肩部側に配置されるロッカーピンは、リンク列の最外側リンクプレートのピン孔に固着されている。
【００１１】
請求項１の発明に係るサイレントチェーンによれば、ロッカーピンが、ジョイントピンと同様に、ガイドプレートを挿通する長さを有しているので、ガイドプレートと最外側リンクプレートの境界部分において、ジョイントピンおよびロッカーピンの双方で引張荷重を受けることができ、これにより、ロッカージョイントの強度を向上できる。
【００１２】
しかも、この場合には、ロッカーピンがリンク列の最外側リンクプレートのピン孔に固着されている。これにより、ロッカーピンがリンクプレートのピン孔の内壁面に対して摺動するのを抑制でき、その結果、リンクプレートのピン孔およびロッカーピンの摩耗を低減できる。
【００１３】
請求項２の発明においては、ジョイントピンが、ガイド列の最外側リンクプレートのピン孔に固着されている。
【００１４】
この場合には、ジョイントピンがリンクプレートのピン孔の内壁面に対して摺動するのを抑制でき、これにより、リンクプレートのピン孔およびジョイントピンの摩耗を低減できる。
【００１５】
請求項３の発明においては、ジョイントピンがガイド列の残りのリンクプレートのピン孔に固着されている。
【００１６】
この場合には、ジョイントピンがガイド列のすべてのリンクプレートのピン孔に固着されることになるので、ジョイントピンがリンクプレートのピン孔の内壁面に対して摺動するのを確実に抑制でき、リンクプレートのピン孔およびジョイントピンの摩耗を確実に低減できる。
【００１７】
請求項４の発明においては、ロッカーピンがリンク列の残りのリンクプレートのピン孔に固着されている。
【００１８】
この場合には、ロッカーピンがリンク列のすべてのリンクプレートのピン孔に固着されることになるので、ロッカーピンがリンクプレートのピン孔の内壁面に対して摺動するのを確実に抑制でき、リンクプレートのピン孔およびロッカーピンの摩耗を確実に低減できる。
【００１９】
前記固着方法としては、請求項５の発明に記載されているように、溶接、ろう付けまたは接着が好ましい。このような固着方法を用いることで、ガイドプレートのピン孔に対するジョイントピンの固着も、ガイドプレートのピン孔内でのロッカーピンの動きを阻害することなく、行うことができる。
【００２０】
請求項６の発明に係るサイレントチェーンは、一対の歯部およびピン孔を有する多数のリンクプレートを厚み方向および長手方向に積層して、ピン孔内に挿入したロッカージョイントで各リンクプレートを各々枢支可能に連結してなるロッカージョイント式のサイレントチェーンである。ロッカージョイントは、互いに転動する転動面を有しかつチェーン最外側のリンクプレートをそれぞれ挿通する長さを有するロッカーピンおよびジョイントピンから構成されている。ロッカージョイントのうちチェーン最外側のリンクプレートのリンク肩部側に配置されるロッカーピンは、チェーン最外側のリンクプレートのピン孔に固着されている。ロッカージョイントのうちチェーン最外側のリンクプレートの内側に配置されるリンクプレートのリンク肩部側に配置されるジョイントピンは、チェーン最外側のリンクプレートの内側に配置されるリンクプレートのピン孔に固着されている。
【００２１】
請求項６の発明に係るサイレントチェーンによれば、ロッカーピンが、ジョイントピンと同様に、チェーン最外側のリンクプレートを挿通する長さを有しているので、チェーン最外側のリンクプレートとそのすぐ内側のリンクプレートの境界部分において、ジョイントピンおよびロッカーピンの双方で引張荷重を受けることができ、これにより、ロッカージョイントの強度を向上できる。
【００２２】
しかも、この場合には、ロッカーピンがチェーン最外側のリンクプレートのピン孔に固着されるとともに、ジョイントピンがチェーン最外側のリンクプレートの内側に配置されるリンクプレートのピン孔に固着されている。これにより、ロッカーピンおよびジョイントピンがリンクプレートのピン孔の内壁面に対して摺動するのを抑制でき、その結果、リンクプレートのピン孔およびロッカージョイントの摩耗を低減できる。
【００２３】
請求項７の発明においては、チェーン最外側のリンクプレートの内側に配置されたガイドプレートをさらに備えている。
【００２４】
請求項８の発明においては、ロッカーピンが、チェーン最外側のリンクプレートと同じ長手方向位置に配置された残りのリンクプレートのピン孔に固着されている。
【００２５】
この場合には、ロッカーピンが、チェーン最外側のリンクプレートと同じ長手方向位置に配置されたすべてのリンクプレートのピン孔に固着されることになるので、ロッカーピンがリンクプレートのピン孔の内壁面に対して摺動するのを確実に抑制でき、リンクプレートのピン孔およびロッカーピンの摩耗を確実に低減できる。
【００２６】
請求項９の発明においては、ジョイントピンが、チェーン最外側のリンクプレートの内側に配置されるリンクプレートと同じ長手方向位置に配置された残りのリンクプレートのピン孔に固着されている。
【００２７】
この場合には、ジョイントピンが、チェーン最外側のリンクプレートの内側に配置されるリンクプレートと同じ長手方向位置に配置されたすべてのリンクプレートのピン孔に固着されることになるので、ジョイントピンがリンクプレートのピン孔の内壁面に対して摺動するのを確実に抑制でき、リンクプレートのピン孔およびジョイントピンの摩耗を確実に低減できる。
【００２８】
前記固着方法としては、請求項１０の発明に記載されているように、溶接、ろう付けまたは接着が好ましい。このような固着方法を用いることで、チェーン最外側のリンクプレートのピン孔に対するロッカーピンの固着も、当該リンクプレートのピン孔内でのジョイントピンの動きを阻害することなく、行うことができる。
【発明の効果】
【００２９】
本発明に係るサイレントチェーンによれば、ロッカーピンの長さをジョイントピンと同様にガイドプレートまたはチェーン最外側のリンクプレートを挿通する長さにして、ロッカーピンおよびジョイントピンをピン孔に固着するようにしたので、ロッカージョイントの強度を向上できるとともに、リンクプレートのピン孔およびロッカージョイントの摩耗を低減できる。
【発明を実施するための最良の形態】
【００３０】
以下、本発明の実施例を添付図面に基づいて説明する。図１は本発明の一実施例によるサイレントチェーンの断面部分図、図２はその平面部分図である。
【００３１】
図１および図２に示すように、サイレントチェーンＳは、多数のリンクプレートＬを厚み方向（図１上下方向）および長手方向（同図左右方向）に積層するとともに、ロッカージョイントＲＪで各々枢支可能に連結することにより構成されている。各リンクプレートＬは、ロッカージョイントＲＪが挿入される一対のピン孔Ｌｈおよび一対の歯部Ｌｔをそれぞれ有している。サイレントチェーンＳの最外側には、一対のピン孔Ｇｈを有するガイドプレートＧが配置されている。サイレントチェーンＳは、ガイドプレートＧと同じ長手方向位置に配置されたリンクプレートＬからなるガイド列ＧＲと、ガイド列ＧＲの両隣において同じ長手方向位置に配置され、ガイドプレートＧを含まないリンク列ＬＲとから構成されている。
【００３２】
各ロッカージョイントＲＪは、ロッカーピンＲＰおよびジョイントピンＪＰからそれぞれ構成されている。ロッカーピンＲＰおよびジョイントピンＪＰは、互いに転動する転動面を有し、各々ガイドプレートＧを挿通する長さを有しており、各ピンの端部は、ガイドプレートＧのピン孔Ｇｈを越えて延びている。ロッカーピンＲＰは、リンク列ＬＲのリンクプレートＬのリンク肩部側に配置されており、ジョイントピンＪＰは、ガイド列ＧＲのリンクプレートＬのリンク肩部側に配置されている。
【００３３】
ロッカーピンＲＰは、リンク列ＬＲの最外側リンクプレートＬのピン孔Ｌｈに固着されており、ジョイントピンＪＰは、ガイド列ＧＲの最外側リンクプレートＬのピン孔Ｌｈに固着されている。ジョイントピンＪＰは、ガイドプレートＧのピン孔Ｇｈにも固着されている。なお、図１には、これらの固着個所を丸印で囲んで示している。具体的な固着方法として好ましいものは、溶接、ろう付け、または接着である。
【００３４】
上述のように構成されるサイレントチェーンＳにおいては、ロッカーピンＲＰが、ジョイントピンＪＰと同様に、ガイドプレートＧを挿通する長さを有しているので、ガイドプレートＧと最外側リンクプレートＬの境界部分において、ジョイントピンＪＰおよびロッカーピンＲＰの双方でチェーン運転時の引張荷重Ｆを受けることができ、これにより、ロッカージョイントＲＪの強度を向上できる。
【００３５】
しかも、この場合には、ロッカーピンＲＰがリンク列ＬＲの最外側リンクプレートＬのピン孔Ｌｈに固着されており、ジョイントピンＪＰがガイド列ＧＲの最外側リンクプレートＬのピン孔Ｌｈに固着されている。これにより、ロッカーピンＲＰおよびジョイントピンＪＰがリンクプレートＬのピン孔Ｌｈの内壁面に対して摺動するのを抑制でき、その結果、リンクプレートＬのピン孔ＬｈおよびロッカージョイントＲＪの摩耗を低減できる。
【００３６】
なお、ロッカーピンＲＰは、リンク列ＬＲの残りのリンクプレートＬのピン孔Ｌｈに固着されていてもよい。この場合には、ロッカーピンＲＰがリンク列ＬＲのすべてのリンクプレートＬのピン孔Ｌｈに固着されることになるので、ロッカーピンＲＰがリンクプレートＬのピン孔Ｌｈの内壁面に対して摺動するのを確実に抑制でき、リンクプレートＬのピン孔ＬｈおよびロッカーピンＲＰの摩耗を確実に低減できる。
【００３７】
また、ジョイントピンＪＰは、ガイド列ＧＲの残りのリンクプレートＬのピン孔Ｌｈに固着されていてもよい。この場合には、ジョイントピンＪＰがガイド列ＧＲのすべてのリンクプレートＬのピン孔Ｌｈに固着されることになるので、ジョイントピンＪＰがリンクプレートＬのピン孔Ｌｈの内壁面に対して摺動するのを確実に抑制でき、リンクプレートＬのピン孔ＬｈおよびジョイントピンＪＰの摩耗を確実に低減できる。
【００３８】
前記実施例では、ガイドプレートがチェーン最外側に配置されたサイレントチェーンを例にとって説明したが、本発明は、チェーン幅方向の内側（たとえば中央）にガイドプレートを有するサイレントチェーンにも同様に適用できる。この場合には、例えば、チェーン最外側のリンクプレートのピン孔にロッカーピンを固着するとともに、チェーン最外側のリンクプレートのすぐ内側のリンクプレートのピン孔にジョイントピンを固着するようにすればよい。
【図面の簡単な説明】
【００３９】
【図１】本発明の一実施例によるサイレントチェーンの断面部分図である。
【図２】サイレントチェーン（図１）の平面部分図である。
【図３】従来のサイレントチェーンの断面部分図である。
【符号の説明】
【００４０】
Ｓ：  サイレントチェーン
Ｌ：  リンクプレート
ＬＲ：  リンク列
Ｌｔ：  歯部
Ｇ：  ガイドプレート
ＧＲ：  ガイド列
ＲＪ：  ロッカージョイント
ＲＰ：  ロッカーピン
ＪＰ：  ジョイントピン
【図１】
2007100881.tif 000003
【図２】
2007100881.tif 000004
【図３】
2007100881.tif 000005